(57)【要約】【課題】マイク音声に対するエコー等の音声信号処理を、他のオーディオソースの入力に合わせて自動的に切り換え可能なオーディオアンプを提供する。【解決手段】オーディオソース入力端子３４，３５，３６には、カラオケ再生装置４、ＤＶＤ再生装置５、ＢＧＭ再生装置６が接続されている。また、マイク２，３の音声信号は、エコー発生器１２に入力される。マイコン１０は、ＡＤポート１０Ａで検出した電圧に基づいてカラオケ演奏音が入力されているか否かを検出する。カラオケ演奏音が入力されていると検出した場合、入力切換器１５によってオーディオソース入力端子３４（カラオケ）を選択するとともに、エコー発生器１２をオンしてマイク入力にエコーを付与する。【選択図】  図１
2010072270.tif 000002
【特許請求の範囲】
【請求項１】
複数のオーディオソース入力端子と、
マイク音声入力端子と、
前記マイク音声入力端子から入力された音声信号に対して所定の信号処理を行う音声信号処理部と、
前記複数のオーディオソース入力端子のうち特定のオーディオソース入力端子から信号が入力されたか否かを検出し、入力を検出したとき前記音声信号処理部の機能を変更すべく制御する制御部と、
を備えたオーディオアンプ。
【請求項２】
前記音声信号処理部は、エコー発生部を含み、
前記制御部は、前記特定のオーディオソース入力端子からの信号入力を検出したとき前記エコー発生部の機能をオンする請求項１に記載のオーディオアンプ。
【請求項３】
前記音声信号処理部は、イコライザを含み、
前記特定のオーディオソース入力端子は、カラオケ再生装置を接続する入力端子であり、
前記制御部は、前記特定のオーディオソース入力端子からの信号入力を検出したとき前記イコライザの設定をボーカル用に設定変更し、前記特定のオーディオソース入力端子からの信号入力を検出しないとき前記イコライザの設定をスピーチ用に設定変更する請求項１または請求項２に記載のオーディオアンプ。
【発明の詳細な説明】
【技術分野】
【０００１】
この発明は、入力された複数のオーディオソースから１つを自動選択するオーディオアンプに関する。
【背景技術】
【０００２】
宴会場等に設置されるオーディオアンプは、複数のオーディオソースの入力端子を備え、各入力端子から入力されるオーディオソースを場面に応じて適宜切り換えて使用される。たとえば、挨拶やスピーチの場面では静かなＢＧＭを流し、余興の場面では、カラオケ曲を流す等の切り換えが行われる。
【０００３】
この切り換えを係員が手動で行うのは面倒であるため、カラオケ装置からカラオケの楽音が入力されたとき、オーディオソースの選択を自動的にＢＧＭからカラオケに切り換える機能を有するオーディオアンプが実用化されている。
【０００４】
【特許文献１】特開２００７−１４８１５５号公報
【発明の開示】
【発明が解決しようとする課題】
【０００５】
結婚披露宴等の宴会等では、来賓がカラオケ曲を歌唱するまえに挨拶をする場合がよくある。この場合、同じマイクを使用して挨拶とカラオケ曲の歌唱が行われるのが通常である。マイクの入力信号に対しては、挨拶時はスピーチ用の設定でエコーをオフする必要があり、一方、カラオケ歌唱時はボーカル用の設定でエコーをオンする必要がある。
【０００６】
従来は、挨拶の終了を見計らって係員が、カラオケ曲をスタートさせるとともに、マイクのエコーをオンする操作を行っていた。このためカラオケ曲スタート時の係員の作業が多いうえ、時によっては係員がエコーのオンを忘れてしまうという場合もあった。
【０００７】
この発明は、マイク音声に対するエコー等の音声信号処理を、他のオーディオソースの入力に合わせて自動的に切り換え可能なオーディオアンプを提供することを目的とする。
【課題を解決するための手段】
【０００８】
請求項１の発明は、複数のオーディオソース入力端子と、マイク音声入力端子と、前記マイク音声入力端子から入力された音声信号に対して所定の信号処理を行う音声信号処理部と、前記複数のオーディオソース入力端子のうち特定のオーディオソース入力端子から信号が入力されたか否かを検出し、入力を検出したとき前記音声信号処理部の機能を変更すべく制御する制御部と、を備えたことを特徴とする。
【０００９】
請求項２の発明は、請求項１の発明において、前記音声信号処理部は、エコー発生部を含み、前記制御部は、前記特定のオーディオソース入力端子からの信号入力を検出したとき前記エコー発生部の機能をオンすることを特徴とする。
【００１０】
請求項３の発明は、請求項１、２の発明において、前記音声信号処理部は、イコライザを含み、前記特定のオーディオソース入力端子は、カラオケ再生装置を接続する入力端子であり、前記制御部は、前記特定のオーディオソース入力端子からの信号入力を検出したとき前記イコライザの設定をボーカル用に設定変更し、前記特定のオーディオソース入力端子からの信号入力を検出しないとき前記イコライザの設定をスピーチ用に設定変更することを特徴とする。
【発明の効果】
【００１１】
この発明によれば、特定のオーディオソース入力端子から信号が入力されれば、自動的に音声信号処理が切り換わるため、たとえば、カラオケ演奏スタート時に係員がマイク入力のエコーをオンする（カラオケ演奏終了時にマイク入力のエコーをオフする）という作業が不要になり、係員の手間を省くことが可能になる。
【発明を実施するための最良の形態】
【００１２】
図１はこの発明の実施形態であるカラオケアンプのブロック図である。
カラオケアンプ１には、マイク入力端子３２、２２を備えているとともにオーディオソース入力端子３４，３５，３６を備えている。
マイク入力端子３２、３３には、それぞれマイク２、３が接続される。マイク入力端 ３２、３３はＡ／Ｄコンバータ１１を介してエコー発生器１２に接続されている。エコー発生部１２は、マイク入力端子３２、３３から入力されたマイクの音声信号にエコー効果を付与する機能部である。エコー発生器１２は、マイコン１０の制御によりそのエコー付与機能をオン／オフされる。エコー発生器１２から出力されたマイクの音声信号はイコライザ１３に入力される。イコライザ１３はマイク音声信号の音質を調整する。イコライザ１３から出力された音声信号はミキサ１４に入力される。
【００１３】
一方、オーディオソース入力端子３４，３５，３６には、それぞれカラオケ再生装置４、ＤＶＤ再生装置５、ＢＧＭ再生装置６が接続される。各オーディオソース入力端子３４，３５，３６は入力切換器１５に接続されている。入力切換器１５はマイコン１０の制御により、３つのオーディオソース入力のうち１つを選択する機能部である。入力切換器１５で選択された１つのオーディオソースの音声信号は、Ａ／Ｄコンバータ１６によってデジタル音声信号に変換されたのちキーコン回路１７に入力される。キーコン回路１７は、オーディオソースのキー（調）すなわち周波数を変化させる機能部であり、専らカラオケ演奏音が入力されたときに使用される機能部である。オーディオソースのキーを変換するか否か、どれだけ変換するかはマイコン１０によって制御される。キーコン回路１７が出力したオーディオソースの音声信号はイコライザ１８に入力される。イコライザ１８はオーディオソース音声信号の音質を調整する。イコライザ１８から出力された音声信号はミキサ１４に入力される。
【００１４】
ミキサ１４は、イコライザ１３から入力されたマイクの音声信号とイコライザ１８から入力されたオーディオソースの音声信号とを適切なバランスでミキシングし、１系統の音声信号にして出力する。なお、オーディオソースがステレオ信号の場合、ミキサ１４は、このステレオ信号にマイク音声をミキシングする。
【００１５】
ミキサ１４が出力した音声信号はＤ／Ａコンバータ１９を介してアナログ増幅回路２０に入力される。アナログ増幅回路２０は、入力されたアナログの音声信号を増幅して出力端子３７を介してスピーカ７に出力する。
【００１６】
また、マイコン１０は、２つのＡＤポート１０Ａ，１０Ｂを有している。ＡＤポートは、アナログの電圧値を入力し、その電圧値をＡ／Ｄ変換してマイコン１０に取り込むポートである。
【００１７】
ＡＤポート１０Ａには、オーディオソース入力端子３４が積分回路を介して接続されている。積分回路はダイオード２１、コンデンサ２２で構成されている。ダイオード２１は、オーディオソース入力端子３４から入力された音声信号の正側半波を整流する素子である。コンデンサ２２は大容量のケミカルコンデンサで構成され、ダイオード２１で整流された正側半波の電圧を蓄電する。この構成により、コンデンサ２２の端子間電圧をオーディオソース入力端子３４に入力されている音声信号の平均的なレベルとみなすことができる。マイコン１０は、ＡＤポート１０Ａの検出電圧が、所定のしきい値を超えたときオーディオソース入力端子３４すなわちカラオケ再生装置４の信号入力ありと判定する。
【００１８】
ＡＤポート１０Ｂには、オーディオソース入力端子３５が積分回路を介して接続されている。積分回路の構成はＡＤポート１０Ａに接続されているものと同様である。マイコン１０は、ＡＤポート１０Ｂの検出電圧が、所定のしきい値を超えたときオーディオソース入力端子３５すなわちＤＶＤ再生装置５の信号入力ありと判定する。
【００１９】
マイコン１０は、カラオケ＞ＤＶＤ＞ＢＧＭの優先順位で入力切換器１５を制御して、オーディオソースを切り換える。すなわち、カラオケ再生装置４から信号が入力されているときは、ＤＶＤ再生装置５から信号が入力されているか否かにかかわらずカラオケ再生装置４（オーディオソース入力端子３４）を選択する。カラオケ再生装置４から信号が入力されていないときには、ＤＶＤ再生装置５が入力されていればＤＶＤ再生装置５（オーディオソース入力端子３５）を選択する。両方とも入力されていないときにはＢＧＭ再生装置６（オーディオソース入力端子３６）を選択する。ＢＧＭ再生装置６は、たとえばＦＭチューナや有線放送受信機のような装置で常時再生信号が出力されている装置である。一方、カラオケ再生装置４やＤＶＤ再生装置５は操作によって適宜再生信号が出力される装置である。
【００２０】
さらに、マイコン１０は、カラオケ再生装置４から信号が入力されているとき、すなわち、入力切換器１５をカラオケ再生装置４（オーディオソース入力端子３４）に切り換えているとき、エコー発生器１２の機能をオンする。それ以外のオーディオソース入力端子を選択しているときは、エコー発生器１２の機能をオフする。エコー発生器１２の機能がオフしているときは、入力された音声信号はそのまま出力される。これにより、カラオケ再生装置４から音声信号が入力されているとき、すなわち、カラオケ曲が演奏されているときのみエコー発生器１２が機能してマイク２、３から入力された音声信号にエコーを付与して歌唱を上手く聴かせるようにし、それ以外の場面ではマイク入力にエコーを付与しないで明瞭度の高い音声を出力するようにしている。
【００２１】
また、オーディオソースの選択に対応してイコライザ１３、１８の設定を切り換えてもよい。すなわち、マイク用のイコライザ１３は、ＢＧＭまたはＤＶＤが選択されているときスピーチ用に設定し、カラオケが選択されているときボーカル用に設定する。オーディオソース用のイコライザ１８についても、カラオケ／ＤＶＤ／ＢＧＭの選択に応じて適宜設定を変更する。
【００２２】
また、キーコン回路１７のキーコン量は、ユーザインタフェース３１による係員の操作に応じて切り換えられる。
【００２３】
以上の構成のカラオケアンプをたとえば結婚式場に設置した場合、披露宴で来賓が挨拶したのち、同じマイクでカラオケ曲を歌唱するような場合、ゲストが挨拶しているときはエコーオフ・スピーチ用の設定でマイクの音声信号が出力され、挨拶が終了して係員がカラオケ曲をスタートさせると、カラオケアンプは自動的にオーディオソースをカラオケ再生音に切り換え、エコーオン・ボーカル用の設定でマイクの音声信号が出力される。
【００２４】
このように、係員は来賓の挨拶終了のタイミングに合わせてカラオケ曲をスタートさせるのみで、オーディオソースの入力の切り換えおよびマイク音声のエコーオンが自動的に行われ、係員の手間を省くことができるとともに、操作ミスを無くすことができる。
【００２５】
なお、上記実施形態では、オーディオソースの入力に応じてエコーのオン／オフ、イコライザの設定を自動切り換えする構成について説明したが、自動切り換えする項目はこれに限定されない。たとえば、ＢＧＭが選択されたときオーディオソース側のボリュームを小さくする、カラオケ以外のオーディオソースが選択されたときキーコン回路１７の機能をオフする、カラオケが選択されたときマイクゲインを上げてダイナミックレンジを大きくする等の動作をさせてもよい。
【図面の簡単な説明】
【００２６】
【図１】この発明の実施形態であるカラオケアンプのブロック図
【符号の説明】
【００２７】
１…カラオケアンプ
２，３…マイク
４…カラオケ再生装置
５…ＤＶＤ再生装置
６…ＢＧＭ再生装置
１２…エコー発生器
【図１】
2010072270.tif 000003